(57)【特許請求の範囲】
【請求項１】
音楽再生を含むホームページを提供する場合に、複数のWebブラウザに音楽を提供する音楽管理サーバーを設置して、当該サーバーにホームページ提供者（以下「提供者」という。）から提供を受けた複数の画像ファイル（以下「提供画像ファイル」という。）を各提供者専用の利用領域（以下「専用領域」という。）に保存するとともに、ホームページで利用する音楽（以下「利用音楽」という。）のフレーズ毎に提供画像ファイルを表示するための時間データ（以下「表示時間データ」という。）を作成して利用音楽の音楽ファイルとともに専用領域に保存して、ホームページの閲覧に応じてWebブラウザにおいて、提供画像ファイルのない場合は保存した音楽ファイルをもとにホームページの表示とともにＢＧＭとして音楽が流れるようにするとともに、提供画像ファイルのある場合は保存した音楽ファイル、表示時間データ及び提供画像ファイルにより音楽を再生する動画を生成し、音楽を更新する場合も専用領域に保存する利用音楽の音楽ファイルとその表示時間データを更新することによりWebブラウザで新たな動画を生成するシステム
【請求項２】
ホームページに合う音楽を選ぶ際に、既存のホームページの一つ又は複数のスクリーンショットを画像にしたファイル（以下「再生画像ファイル」という。）にして請求項１の専用領域に保存するとともに、選曲する音楽毎に請求項１の表示時間データを作成して音楽ファイルとともに請求項１の専用領域に保存して、選曲する音楽毎に閲覧に応じてWebブラウザにおいて、再生画像ファイルが一つの場合は保存した音楽ファイルをもとにホームページの表示とともにＢＧＭとして音楽が流れるようにするとともに、再生画像ファイルが複数の場合は保存した音楽ファイル、表示時間データ及び再生画像ファイルにより音楽を再生する動画を生成して、それらを鑑賞することによりホームページに合う音楽を選曲するシステム
【発明の詳細な説明】
【技術分野】
【０００１】
この発明は、音楽機能を有する動画を生成するシステムに関する。 
【背景技術】
【０００２】
従来の技術としては、インターネット接続等による配信サービス、ダウンロードサービスが普及し、ダウンロードした音楽の再生も普及している。（特許文献１）また、音楽のフレーズ毎に同期表示するデータをパソコンの画面に入力して作成することができる。（特許文献２）
【特許文献１】特開２００２−１０８３５５号公報
【特許文献２】特開２０１２−１７７８１３号公報
【発明の開示】
【発明が解決しようとする課題】
【０００３】
動画編集ソフトなどで動画を作成してトップページなどに動画を掲載する場合、音楽を変更する度に動画の作成が必要となる。音楽再生と画像表示を表示時間データで制御してブラウザで動画を生成できるようにして、音楽の変更時も音楽と表示時間データの変更のみで動画を生成できるようにする。
【０００４】
音楽再生を伴うホームページを提供する場合には、音楽の更新時にWebサーバーのファイルの更新が必要となりその度にアップロードする作業が必要となる。音楽を集中して管理するサーバーを設けて、音楽の更新後も各ホームページ提供者が当該サーバーにアクセスして音楽を利用できるようにする。 
【０００５】
既存のホームページに音楽を挿入する場合に、音楽がホームページに合うかどうかを確認するために、既存のホームページの動画もしくは静止画に音楽が流れる環境で音楽を選曲できるようにする。
【課題を解決するための手段】
【０００６】
以上の課題を解決するために、ホームページで提供する音楽を集中管理する音楽管理サーバーを設置して、当該サーバーにホームページ提供者毎の専用領域を設けて、ホームページの提供者から提供を受けた複数の画像ファイルを専用領域に保存する。
【０００７】
ホームページ用の音楽のフレーズ毎に表示するための時間データを作成して音楽ファイルとともに専用領域に保存して、ホームページの閲覧に応じてWebブラウザで動画を生成（又は静止画を表示）することにより音楽の流れるホームページを閲覧できるようにする。なお、動画用の画像提供のない場合は、画像の切り替えを含まない、現在のホームページに音楽再生を加える形式とする。
【０００８】
音楽の更新時に専用領域の音楽を更新することにより、ホームページ提供者のWebサーバーを更新することなく音楽を更新できるようにする。
【０００９】
ホームページに合う音楽を選ぶ際に、既存のホームページの複数のスクリーンショットを画像ファイルにするとともに、併せて選曲する音楽のフレーズ毎の表示時間データを作成して音楽ファイルとともに専用領域に保存する。保存したデータにより音楽再生に合わせて動画を生成（又は静止画を表示）して鑑賞することにより、音楽を選曲する。
【発明の効果】
【００１０】
Webブラウザで動画を再生するのでなく、音楽のフレーズ毎の表示時間データで複数の画像ファイルを切り替えてブラウザ上で動画を生成する方式であり、音楽ファイルと表示時間データを置き換えることで異なる音楽の動画を容易に生成することができる。
【００１１】
音楽の更新時のWebサーバーへのアップロードが不要となり、また、サーバー側での更新作業となるため、音楽再生に係るプログラムを変更せずにテストに利用した音楽などを同じファイル名に変更することで代用することができる。
【００１２】
Webページのデザインと音楽のマッチングを確認する際に、ホームページを開くと自然に音楽が流れる環境でテストして選曲することができる。 
【発明を実施するための最良の形態】
【００１３】
図１は、音楽更新型動画生成システムのフローである。 
音楽管理者は、音楽管理サーバーを設置して利用者毎に専用領域を設け、その中に音楽再生及び音楽との同期表示プログラム等により動画を生成する動画生成領域、動画生成のためのデータを保存する音楽管理領域、再生画像領域、時間データ領域を設ける。
【００１４】
ホームページの提供者が音楽を含むホームページ用の動画を生成する場合には複数の再生画像を提供して音楽管理者に利用を申し出する。
【００１５】
音楽管理者は、選曲用の音楽を選び音楽毎のフレーズ毎の表示時間データを作成して音楽ファイルとともに専用領域に保存して、提供者に閲覧ファイルを送信する。受信した閲覧ファイルの閲覧によりホームページ用の音楽を選曲し、音楽を音楽管理者に連絡する。
【００１６】
音楽管理者は、選曲された音楽をホームページ用の音楽として音楽管理領域に登録して、初期環境の設定として専用領域のURLにアクセスする等のためのホームページ更新用のファイル（HTML形式）を提供する。提供を受けたホームページの提供者は、当該更新ファイルをWebサーバーにアップロードする。
【００１７】
音楽を更新する場合も専用領域に保存する利用音楽とその表示時間データを更新することにより新たな動画を生成する。
【００１８】
図２は、動画生成型選曲システムのフローである。
ホームページに音楽を追加する場合のシステムで、ホームページの提供者は、利用したい音楽のジャンルやイメージなどを指定して音楽管理者にシステムの利用を申し出する。
【００１９】
音楽管理者は、音楽のジャンルやイメージなどからホームページに合う音楽を選定して音楽ファイルを音楽管理領域に保存する。また、既存のホームページのスクリーンショットを画像ファイルにして再生画像領域に保存する。
【００２０】
その際、既存のホームページに動画で掲載されている場合は、複数のスクリーンショットを画像ファイルにして保存するとともに、併せて音楽との同期表示機能を提供できるように音楽毎にフレーズ毎の表示時間データを作成して時間データ領域に保存する。
【００２１】
ホームページの提供者に閲覧ファイルを送信し、ホームページの提供者は受信したファイルを閲覧してホームページに合う音楽を選曲して音楽管理者に連絡する。連絡を受けて、選曲された音楽の音楽ファイルを提供者の音楽管理領域に保存する。
【００２２】
図３は、動画生成システムのフローである。 
音楽管理サーバーの動画生成領域にWebブラウザからアクセスがあると音楽との同期表示プログラムが起動して、音楽管理領域、再生画像領域、時間データ領域から音楽ファイル、切替用画像ファイル、切替時間データの読み込みを行う。
【００２３】
音楽再生を開始してフレーズ毎の表示時間データで制御して、音楽再生に合わせて順次切替用の画像を切り替えて表示する方式で動画を生成して、ホームページで閲覧する。  
【産業上の利用可能性】
【００２４】
音楽をよく利用する結婚式場、レストラン、店舗などで産業上の利用可能性がある。 
【図面の簡単な説明】
【００２５】
【図１】この発明における、音楽更新型動画生成システムの説明図である。
【図２】この発明における、動画生成型選曲システムの説明図である。
【図３】この発明における、動画生成システムの説明図である。
【図１】
0006286624.tif 000002
【図２】
0006286624.tif 000003
【図３】
0006286624.tif 000004